(57)【特許請求の範囲】
【請求項１】
第１シートを繰り出す第１シート供給手段と、
前記第１シート供給手段により繰り出された第１シートをロール状に巻き付ける巻き付け手段と、
前記ロール状に巻かれた第１シートを被着体に近づける載置手段と、
一方の面に接着剤層が設けられた第２シートを繰り出す第２シート供給手段と、
前記第２シート供給手段により繰り出された第２シートを被着体に貼付する貼付手段とからなり、
前記貼付手段は、ロール状に巻き付けられた第１シート上から前記第２シートを覆い被せて被着体に貼付することにより、当該第１シートを前記被着体に保持・固定する
ことを特徴とするシート貼付装置。
【請求項２】
シートの一端を把持し、これを回転させてロール状に巻き付ける回転チャック手段と、
前記シートの巻き付けの終端部を抑え、巻き付けが解けることを防止する抑えチャック手段と、
前記ロール状に巻かれたシートを被着体に載置する載置手段と、
前記回転チャック手段と抑えチャック手段とを一体的に所定角度回転させてシートの巻き付け終端部のオーバーハング部を前記ロール状に巻かれたシートと前記被着体との間に挟み込む変位手段と
を備えることを特徴とするシート巻き付け機構。
【請求項３】
第１シートを繰り出す工程と、
前記第１シートをロール状に巻き付ける工程と、
前記ロール状に巻かれた第１シートを被着体に近づける工程と、
一方の面に接着剤層が設けられた第２シートを繰り出す工程と、
前記ロール状に巻き付けられた第１シート上から第２シートを覆い被せて被着体に貼付する工程とを有する
ことを特徴とするシート貼付方法。
【発明の詳細な説明】
【技術分野】
【０００１】
本発明は、シートをロール状に巻くための装置に関し、更に、ロール状に巻いたシートを被着体に保持・固定するための装置およびシート貼付方法に関する。
【背景技術】
【０００２】
例えば通信販売等において代金着払いの場合、配送物には内容物の明細等が記載された納品書や、商品代金の領収に関わる領収票等の伝票が、配送票とともに配送物の外側に貼り付けられる。従来納品書や領収票等は、誰でも見られる状態で配送物に貼付されていた。このため梱包された商品（配送物）が何であるかを特定できたり、その商品の価値が判ってしまうため、盗難等の予防やプライバシーの保護の点から、これらの情報は秘匿情報として扱われなければならない。
【０００３】
そこで、配送票となる第１のラベルの粘着面に、秘匿情報が印字された例えば一回り小さい第２のラベルを貼着して積層し、当該第２のラベルが貼着された第１のラベルを配送物に貼付することにより、秘匿情報を含む第２のラベルを第１のラベルと被着体との間に隠蔽する構成が提案されている（特許文献１参照）。
【特許文献１】特開２００６−１８１９９１号公報
【発明の開示】
【発明が解決しようとする課題】
【０００４】
特許文献１の構成を用いれば、第三者が簡単に秘匿情報を見ることは防止できるが、秘匿情報が増大した場合、第２のラベルを大きくする必要があり、これに伴って第１のラベルの大きさも大きくする必要がある。したがって、特許文献１の構成では、保証内容、キャンペン情報、宣伝、インフォメーション、クーリングオフの説明といった、多くの紙面を必要とする情報を扱うことができない。
【０００５】
本発明は、面積の大きなシートをその存在を目立たせながらもコンパクトに被着体に取り付けることを課題としている。
【課題を解決するための手段】
【０００６】
（１）本発明の請求項１に記載のシート貼付装置は、第１シートを繰り出す第１シート供給手段と、前記第１シート供給手段により繰り出された第１シートをロール状に巻き付ける巻き付け手段と、前記ロール状に巻かれた第１シートを被着体に近づける載置手段と、一方の面に接着剤層が設けられた第２シートを繰り出す第２シート供給手段と、前記第２シート供給手段により繰り出された第２シートを被着体に貼付する貼付手段とからなり、前記貼付手段は、ロール状に巻き付けられた第１シート上から前記第２シートを覆い被せて被着体に貼付することにより、当該第１シートを前記被着体に保持・固定することを特徴としている。
【０００７】
（２）請求項２に記載の発明は、（１）に記載のシート貼付装置であって、前記巻き付け手段は、前記第１シートの一辺を把持するとともに回転して前記第１シートの巻き付けを行う回転チャック手段を備える。
【０００８】
（３）請求項３に記載の発明は、（１）又は（２）の何れかに記載のシート貼付装置であって、前記巻き付け手段は、ロール状に巻かれた第１シートの巻き付け終端部を抑え、巻き付けが解けることを防止する抑えチャック手段を備える。
【０００９】
（４）請求項４に記載の発明は、（２）又は（３）の何れかに記載のシート貼付装置であって、前記巻き付け手段は、前記回転チャック手段と抑えチャック手段とを一体的に所定角度回転させて第１シートの巻き付け終端部のオーバーハング部を前記被着体との間に挟み込む変位手段を備える。
【００１０】
（５）請求項５に記載の発明は、（１）ないし（４）の何れかに記載のシート貼付装置であって、前記第１シートを所定の長さで切断する切断手段を備える。
【００１１】
（６）請求項６に記載の発明は、（１）ないし（５）の何れかに記載のシート貼付装置であって、前記第１シートを繰り出す途中で、当該第１シートに印字を行う第１印字手段を備える。
【００１２】
（７）本発明の請求項７に記載の発明は、（１）ないし（６）に記載のシート貼着装置であって、前記第２シートを繰り出す途中で、当該第２シートに印字を行う第２印字手段を備える。
【００１３】
（８）本発明の請求項８に記載のシート巻き付け機構は、シートの一端を把持し、これを回転させてロール状に巻き付ける回転チャック手段と、前記シートの巻き付けの終端部を抑え、巻き付けが解けることを防止する抑えチャック手段と、前記回転チャック手段と抑えチャック手段とを一体的に所定角度回転させてシートの巻き付け終端部のオーバーハング部を前記被着体との間に挟み込む変位手段とを備えたことを特徴としている。
【００１４】
（９）本発明の請求項９に記載のシート貼付方法は、第１シートを繰り出す工程と、前記第１シートをロール状に巻き付ける工程と、前記ロール状に巻かれた第１シートを被着体に近づける工程と、一方の面に接着剤層が設けられた第２シートを繰り出す工程と、前記ロール状に巻き付けられた第１シート上から第２シートを覆い被せて被着体に貼付する工程とを有することを特徴としている。
【発明の効果】
【００１５】
以上のように、本発明によれば、面積の大きなシートをその存在を目立たせながらもコンパクトに被着体に保持・固定することが可能となる。
特に第１シートに秘匿情報を記載し、第２シートを配送票とした場合、第１シートを巻き付けることにより、多くの秘匿情報が記載された大きなシートをコンパクトかつ情報が外から見えない状態で配送物に貼付することができる。
また、変位手段を設け、巻き付け終端部のオーバーハング部を被着体との間に挟み込むことにより、第２シートの接着剤層が、秘匿情報が印字される面に接触することを防止できる。
更に、第１シートを所定の長さで切断する切断手段を備えることで、長尺のシートを枚葉に切断して隠蔽用シートとすることができる。
また、第１、第２印字手段を有することで、第１、第２シートに所定の印字を施すことができる。
更に、第２シートは第１シートの立体的な形状に沿って被着体に貼付されるため、その存在が目立たせることができる。
また、第１シートを第２シートからはみ出した状態で被着体に固定することで更にこの効果を高めることができる。
【発明を実施するための最良の形態】
【００１６】
以下、本発明の実施の形態を、図面を参照して説明する。
図１は、本発明の一実施形態であるシート貼付装置の全体の構成を示す視図である。
【００１７】
シート貼付装置１０は、ロール状に巻かれた第１シートＳ１を、第２シートＳ２を用いて被着体Ｐに保持・固定するための装置である。例えば、被着体Ｐは通信販売等における梱包済みの配送物であり、ロール状に巻かれた第１シートＳ１は、梱包された商品の明細、保証内容、キャンペン情報、宣伝、インフォメーション、クーリングオフの説明等の秘匿情報が記載されるシートである。また、第２シートＳ２は、配送先や配送主の宛名や住所を記載するための配送票（または配送伝票）であり、第２シートＳ２は、被着体Ｐの表面に貼付され、このとき第１シートＳ１は、第２シートＳ２と被着体Ｐとの間に挟まれて保持・固定される。
【００１８】
被着体Ｐは、コンベア１１に載置されて搬送され、コンベア１１の所定位置（シート貼付位置）において第１シートＳ１および第２シートＳ２が取り付けられる。コンベア１１においてシート貼付位置の上方には、第２シートＳ２を保持して被着体Ｐに貼付する貼付手段１２が配置される。なお、被着体Ｐの搬送方向をＸ軸方向とし、水平面内でＸ軸に直交する方向をＹ軸、鉛直面内でＸ軸に直交する方向をＺ軸とする（図１参照）。
【００１９】
また、コンベア１１の上方には、Ｘ軸方向に沿って第１シートＳ１を繰り出す第１シート供給手段１３が設けられ、この第１シート供給手段１３と貼付手段１２との間には、巻き付け手段１４が配置される。また、貼付手段１２には、Ｙ軸方向に沿って第２シートＳ２を繰り出す第２シート供給手段４１が併設され、第２シートＳ２を貼付手段１２へ供給する。
【００２０】
ロール状に巻かれた長尺の第１シートＳ１は、シャフト１６に回転可能に支持されてガイドローラ１７によりＸ軸方向に転向され、図示しないモータによって回転駆動されるドライブローラ１８と、ピンチローラ１９との間に挟まれて当該ドライブローラ１８の回転により巻き付け手段１４へ向けて繰り出される。
【００２１】
ドライブローラ１８、ピンチローラ１９の下流側には切断手段２０が配置され、第１シートＳ１の切断が所定タイミングで行われる。切断手段２０は、上下一対のＺ軸に沿って配置されたカッター刃２１、２２を備え、カッター刃２１、２２はシリンダ２３によって駆動される。
【００２２】
また、ドライブローラ１８、ピンチローラ１９の上流側には、第１印字手段としてのプリンタ２４と、当該プリンタ２４の下面に第１シートＳ１を挟み込むようにプラテンローラ２５とが配置され、第１シートＳ１に例えば商品の明細、保証内容、キャンペン情報、宣伝、インフォメーション、クーリングオフの説明等の情報が印字される。なお、第１シートＳ１は、前記印字面の反対面にシリコーン等による図示しない剥離処理層が設けられている。
【００２３】
巻き付け手段１４は、回転チャック手段２６と、抑えチャック手段２７と、変位手段３６とを備え、回転チャック手段２６は、図示しない駆動手段を介してスロット３１に沿って駆動されるとともに、第１シートＳ１を把持する一対の把持ロッド２８、２９とモータ３２を備える。また、抑えチャック手段２７は、延出部３３に内蔵された図示しない駆動手段を介してスロット３４に沿って駆動されるとともに、回転チャック手段２６によってロール状に巻かれた第１シートＳ１の巻き付け終端部を抑える抑えロッド３０からなる。更に、変位手段３６は、モータからなり、回転チャック手段２６と抑えチャック手段２７とを一体的に回転可能に支持する。
【００２４】
載置手段３７は、巻き付け手段１４をＸ軸、Ｙ軸、Ｚ軸に沿って移動するための装置であり、それぞれが直動モータによって構成されたＸ軸移動機構３８、Ｙ軸移動機構３９、Ｚ軸移動機構４０を備える。そして、前記巻き付け手段１４は、変位手段３６を介してＺ軸移動機構４０のスライダ３５に支持され、Ｚ軸に沿って移動自在に支持されるとともに、Ｚ軸移動機構４０は、Ｘ軸移動機構３８の図示しないスライダに支持され、Ｘ軸に沿って移動自在に支持される。また、Ｘ軸移動機構３８は、Ｙ軸移動機構３９の図示しないスライダに取り付けられ、Ｙ軸に沿って移動自在に支持される。
【００２５】
一方、第２シートＳ２は一方の面に図示しない接着剤層が設けられるとともに、長尺の剥離シートＲＬに仮着されてロール状に巻かれた状態でシャフト４２に支持され、ガイドローラ４３を介してピールプレート４４方向に送り出される。剥離シートＲＬはピールプレート４４の先端において、鋭角に折り曲げられ、ガイドローラ４５、ドライブローラ４６、ピンチローラ４７を介して巻取シャフト４８によって巻き取られる。また、ガイドローラ４３とピールプレート４４との間には、第２印字手段としてのプリンタ５０と、当該プリンタ５０の下面に剥離シートＲＬと第２シートＳ２とを挟み込むようにプラテンローラ４９とが配置され、第２シートＳ２に対して配送先や配送主の宛名や住所などの印字が行われる。
【００２６】
ピールプレート４４の先端は、図５に示されるように、エアシリンダ５３のロッド５２の先端に取り付けられた貼付手段１２に隣接して配置され、剥離シートＲＬがピールプレート４４において折り曲げられると、第２シートＳ２は剥離シートＲＬから剥がされ、貼付手段１２の下面に沿って送り出される。貼付手段１２の下面には、面全体に多数の穿孔（図示せず）が設けられ、これら孔を通してエアの吸引／噴出が行われる。すなわち、剥離された第２シートＳ２が貼付手段１２の下面に沿って送り出される際には、エアの吸引が行われて第２シートＳ２をその下面に保持し、第２シートＳ２を被着体Ｐへ貼付する際には、エアが噴出されて第２シートＳ２を吹き付けて被着体Ｐの表面に貼付する。
【００２７】
図２ないし図５を参照して本発明のシート貼付装置１０の動作を説明する。シャフト１６に支持された第１シートＳ１は、図２（ａ）に示されるように、プリンタ２４とプラテンローラ２５との間を経てドライブローラ１８とピンチローラ１９とで挟みこまれてカッター刃２１、２２の上流側で停止している。回転チャック手段２６の把持ロッド２８、２９は、スロット３１の両端に位置し、スタンバイ状態となっている。そして、図示しない検知手段によって被着体Ｐが検出されると、被着体Ｐは所定の位置で停止されることになる。その後、第１シートＳ１は、ドライブローラ１８の回転により巻き付け手段１４に向けて送り出される。このとき、第１シートＳ１には、プリンタ２４によって所定の印字が施されることとなる。
【００２８】
図２（ｂ）に示されるように、ドライブローラ１８を駆動する図示しないモータのパルス信号によって、第１シートＳ１の先端が把持ロッド２８、２９の間を通過したことを検知すると、把持ロッド２８、２９が第１シートＳ１の先端部を把持する。
【００２９】
次に図２（ｃ）に示されるように、第１シートＳ１を把持した把持ロッド２８、２９がモータ３２により矢印方向に回転されるとともに、ドライブローラ１８により第１シートＳ１が送り出されて第１シートＳ１の巻き付けが開始される。このときも引き続き第１シートＳ１には、プリンタ２４によって所定の印字が施される。なお、モータ３２とドライブローラ１８との回転速度差、若しくは、ドライブローラ１８の第１シートＳ１を引っ張る強さによって、第１シートＳ１の巻き径がコントロールされる。つまり、モータ３２に対してドライブローラ１８の回転速度を遅くする、若しくは、第１シートＳ１の引っ張る強さを大きくすると巻き径は小さくなり、逆に、ドライブローラ１８の回転速度を早くする、若しくは、第１シートＳ１の引っ張る強さを小さくすると巻き径は大きくなる。このように第１シートＳ１の巻き径をコントロールする場合は、モータ３２やブローラ１８を駆動するモータに回転制御やトルク制御のできるモータを採用することが好ましい。
【００３０】
第１シートＳ１に所定の印字が完了し、当該印字領域がカッター刃２１、２２を通過したことが検知されると、第１シートＳ１の巻き付けが完了し、モータ３２とドライブローラ１８の駆動が停止される。その後図２（ｄ）に示されるように、抑えロッド３０が矢印方向に移動され、ロール状に巻かれた第１シートＳ１を把持ロッド２８、２９とで挟み込む。そして、図２（ｅ）に示されるように、カッター刃２１、２２が駆動され、第１シートＳ１の切断が行われる。このとき、抑えロッド３０からカッター刃２１、２２間に位置し、ロール状に巻かれなかった第１シートＳ１の一部がオーバーハング部Ｓａとなってしてしまう。
【００３１】
巻き付け手段１４によりロール状に巻かれ、所定長さに切断された第１シートＳ１は、図３に示されるように、Ｘ軸移動機構３８とＺ軸移動機構４０との連動により被着体Ｐの上面位置にまで移動される。
【００３２】
そして、被着体Ｐ上に載置された第１シートＳ１は、変位手段３６の回転により、図４に示されるように、抑えチャック手段２７および回転チャック手段２６が一体的に所定角度θ回転され、オーバーハング部Ｓａが被着体Ｐとの間に挟み込まれる。このようにオーバーハング部Ｓａを被着体Ｐとの間に挟み込むことによって、第２シートＳ２を覆い被せたときに、第１シートＳ１の印字面が第２シートＳ２の接着剤に接着して、それらが剥離できなくなることを防止できるうえ、第２シートＳ２貼付後、把持ロッド２８、２９及び、抑えロッド３０を抜き取りやすくすることができる。なお、第１シートＳ１の印字面の反対面は、シリコーン等により剥離処理が施されている。
【００３３】
第１シートＳ１の被着体Ｐ上への載置動作とラップするように、図５に示されるように、第２シートＳ２が、剥離シートＲＬと共に繰り出される。この繰り出しに伴い、プリンタ５０によって、第２シートＳ２の表面には、例えば配送先や配送主の宛名や住所などの印字が行われる。そして、第２シートＳ２はピールプレート４４で剥離シートＲＬから剥離され、図４に示されるように、第２シート供給位置で第２シートＳ２がシート保持部５１に保持される。シート保持部５１はエアシリンダ５３の動作によって、底面が被着体Ｐ上の第１シートＳ１から僅かに離れた第２シート吹き付け位置まで下降される。
【００３４】
その後、シート保持部５１に設けられた多数の穿孔からは、エアが噴射され第２シートＳ２は、ロール状に巻かれた第１シートＳ１上から被着体Ｐの上面へと吹き付けられる。第１シートＳ１および被着体Ｐに向けて吹き付けられた第２シートＳ２は、図１や図４に示されるように、ロール状に巻かれた第１シートＳ１を挟んで被着体Ｐの上面に貼付される。このとき、第２シートＳ２は第１シートＳ１の立体的な形状に沿って被着体Ｐに貼付される。
【００３５】
以上のように、第２シートＳ２をロール状に巻かれた第１シートＳ１の上から被着体Ｐの表面に貼付することにより、第１シートＳ１は、第２シートＳ２と被着体Ｐの間に挟まれて保持され、被着体Ｐに固定される。その後、把持ロッド２８、２９および抑えロッド３０による把持力が緩められ、巻き付け手段１４は、Ｙ軸移動機構３９によりコンベア１１から離れる方向に移動され、把持ロッド２８、２９、抑えロッド３０は、ロール状に巻かれた第１シートＳ１から抜き取られる。そして、被着体Ｐは、コンベア１１によって搬送されるとともに、巻き付け手段１４は、図２（ａ）に示される位置に戻り、以降、上記同様の動作が行われる。
【００３６】
なお、第２シートＳ２は、ロール状に巻かれた第１シートＳ１の軸方向長さよりもその軸方向に沿った幅が狭く、第１シートＳ１は第２シートＳ２により、その両端が第２シートＳ２の両側からはみ出した状態で被着体Ｐに保持・固定されるように構成してもよいし、一端のみがはみ出した状態で保持・固定されるように構成してもよい。また、第１シートＳ１の軸方向長さよりも幅が広い第２シートＳ２を用いて、第１シートＳ１を第２シートで完全に覆い隠す状態で第１シートＳ１を被着体Ｐに保持・固定してもよい。
【００３７】
また、本発明の本質は上記実施形態で図示、説明したものに限定されることなく、様々な形態を採用することができる。例えば、本実施形態では、貼付手段１２にエアの吸引力を利用して第２シートＳ２を保持するとともに、エアジェットを用いて第２シートＳ２を被着体Ｐに吹き付けたが、第２シートＳ２の保持方法や貼付方法は、これに限定されるものではなく、例えば、ロール状の第１シートＳ１を押圧して押し潰すように第２シートＳ２を貼付するように構成してもよい。
【００３８】
更に、本実施形態では、第１シートＳ１を長尺シートとし、これを切断して被着体Ｐ上に供給したが、予め枚葉紙を供給する構成とすることも可能である。この場合切断手段２０が不要となり、装置の簡素化が行える。
【００３９】
また、印字手段は、限定されることなく、サーマルプリンタ、レーザプリンタ、ドットインパクトプリンタ、インクジェットプリンタ等のプリンタが採用出来る。
【００４０】
更に、チャック手段のチャック機構は、モータやエアシリンダ等を採用することができる。
【００４１】
また、切断手段は、カッター刃に代えて、レーザ、空圧、水圧、熱等を利用した他の構成であってよい。
【００４２】
更に、被着体Ｐは、配送物に限定されることはなく、何かの表示を必要とするものであれば、何にでも採用することができる。
【００４３】
また、印字内容は、商品の明細、保証内容、キャンペン情報、宣伝、インフォメーション、クーリングオフの説明以外であってよい。
【００４４】
更に、第１シートＳ１の保持・固定する位置は、被着体Ｐの上面以外に、側面や、底面、角部であってよい。
【図面の簡単な説明】
【００４５】
【図１】本発明の一実施形態であるシート貼付装置の構成を示す斜視図。
【図２】第１シートの巻き付け動作の説明図。
【図３】ロール状に巻かれ、切断された第１シートを被着体の上に載置した図。
【図４】被着体の上の第１シートに第２シートを覆い被せる図。
【図５】Ｙ−Ｚ平面における第２シート供給手段と貼付手段を示す図。
【符号の説明】
【００４６】
１０  シート貼付装置
１２  貼付手段
１３  第１シート供給手段
１４  巻き付け手段
２０  切断手段
２４  プリンタ（第１印字手段）
５０  プリンタ（第２印字手段）
２６  回転チャック手段
２７  抑えチャック手段
２８、２９  把持ロッド
３０  抑えロッド
３６  変位手段
３７  載置手段
４１  第２シート供給手段
Ｐ  被着体
Ｓ１  第１シート
Ｓ２  第２シート
Ｓａ  オーバーハング部
【図１】
0005055093.tif 000002
【図２】
0005055093.tif 000003
【図３】
0005055093.tif 000004
【図４】
0005055093.tif 000005
【図５】
0005055093.tif 000006